(57)【特許請求の範囲】
【請求項１】
屋根を形成する固定パネルと、屋根に形成の開口を開閉する可動パネルと、該可動パネルを固定パネルとの間でスライド移動させる駆動機構と、を有してなると共に、固定パネル，可動パネル及び駆動機構が一対の並列する雨樋の間に配在されてなり、駆動機構が電動モータと、該電動モータで駆動されるギヤボックスと、該ギヤボックスに連繋する螺条ロッドと、を有してなると共に、電動モータ及びギヤボックスが雨樋と開口との間に形成の笠木部内に配在され、螺条ロッドが可動パネルの移動方向に延在されるガイド溝内に臨在されると共に可動パネルの下面に保持されガイド溝内に収装の駆動ローラ機構に連繋されてなる屋根の開閉構造
【請求項２】
可動パネルが上方となるその基端側の下面に駆動ローラ機構を保持するに対して下方となるその先端側の下面に従動ローラ機構を保持してなり、該従動ローラ機構が駆動ローラ機構と共に可動パネルの下方から固定パネルに亙って形成されるガイド溝内に収装されてなることを特徴とする請求項１の屋根の開閉構造
【請求項３】
固定パネルが可動パネルに対して雨水の流下方向の下流側に配在されると共に、可動パネルが固定パネルの上方側でスライド移動することを特徴とする請求項１の屋根の開閉構造
【発明の詳細な説明】
【０００１】
【発明の属する技術分野】
この発明は、屋根の開閉構造に関し、特に、傾斜する屋根の一部を採光や換気等のために開閉可能にする場合に利用する屋根の開閉構造の改良に関する。
【０００２】
【従来技術とその課題】
傾斜する屋根の一部を採光や換気等のために開閉可能にする場合に利用する屋根の開閉構造としては、従来から、種々の提案があるが、例えば、屋根を形成するパネル体をその一辺側でピン利用等で回動可能に支持しながら、他辺側を起伏可能にする提案がある。
【０００３】
該提案による場合には、パネル体を起伏させるだけで、屋根に開口を形成し、あるいは、該開口を閉塞する、即ち、屋根の開閉が可能になるが、起立されたパネル体が小さい場合はともかく、パネル体が大きくなる場合には、それに従い風圧の影響を受け易くなる。
【０００４】
それ故、パネル体を起伏させるようにする屋根の開閉構造の場合には、該パネル体自体は勿論のこと、該パネル体の支持構造が、勢い、頑丈な構造に設定されることになり、屋根の重量を徒に増大化させる不具合がある。
【０００５】
また、上記パネル体の起伏に流体圧シリンダを利用する場合には、流体圧の給排源が、多くの場合、屋根から大きく離れた床下等に配備されるから、その間を繋ぐ配管についての所謂仕舞いが厄介になるのは勿論のこと、流体の漏れ被害を招来しないように配慮しなければならない不具合もある。
【０００６】
それに対して、屋根を形成するパネル体をスライド移動させて開口を開閉する提案の場合には、パネル体が、大旨、風圧の影響を受け難くなることから、その構造を軽微にし得て、屋根の重量の徒な増大化を抑制できる利点がある。
【０００７】
しかしながら、スライド移動されるパネル体が一枚あるいは二枚の大きいものに設定される場合には、その開閉に際して時間が掛り、開口を形成する場合はともかく、例えば、突然の降雨時等に、速やかに開口を閉塞し得なくなる不具合がある。
【０００８】
また、スライド移動されるパネル体が大きく設定される場合には、これを稼働させる装置類も大型化され易くなり、該可動装置類のための大きい設置スペースを要することになる等の不具合も危惧される。
【０００９】
さらに、スライド移動されるパネル体が小さく設定されても、該パネル体をスライド移動させるについて、ワイヤロープやチェーン等の索道部材が利用される場合には、該索道部材の温度変化等による伸縮誤差に対する対策、あるいは、該索道部材の、例えば、スプロケットとの繋合解除に対する対策等の配慮が必須になり、所謂メンテナンスが厄介になる危惧がある。
【００１０】
この発明は、前記した事情に鑑みて創案されたもので、その目的とするところは、屋根の重量を徒に増大化させず、開口の速やかな開閉を可能にし、かつ、メンテナンスを容易にして、屋根の一部を採光や換気等のために開閉可能にする場合の利用に最適となる屋根の開閉構造を提供することである。
【００１１】
【課題を解決するための手段】
上記した目的を達成するために、この発明に係る屋根の開閉構造の構成を、屋根を形成する固定パネルと、屋根に形成の開口を開閉する可動パネルと、該可動パネルを固定パネルとの間でスライド移動させる駆動機構と、を有してなると共に、固定パネル，可動パネル及び駆動機構が一対の並列する雨樋の間に配在されてなり、駆動機構が電動モータと、該電動モータで駆動されるギヤボックスと、該ギヤボックスに連繋する螺条ロッドと、を有してなると共に、電動モータ及びギヤボックスが雨樋と開口との間に形成の笠木部内に配在され、螺条ロッドが可動パネルの移動方向に延在されるガイド溝内に臨在されると共に可動パネルの下面に保持されガイド溝内に収装の駆動ローラ機構に連繋されてなるとする。
【００１２】
そして、より具体的には、可動パネルが上方となるその基端側の下面に駆動ローラ機構を保持するに対して下方となるその先端側の下面に従動ローラ機構を保持してなり、該従動ローラ機構が駆動ローラ機構と共に可動パネルの下方から固定パネルに亙って形成されるガイド溝内に収装されてなるとする。
【００１３】
また、固定パネルが可動パネルに対して雨水の流下方向の下流側に配在されると共に、可動パネルが固定パネルの上方側でスライド移動するとする。
【００１４】
【発明の実施の形態】
以下、図示した実施の形態に基いて、この発明を詳細に説明するが、この発明に係る屋根の開閉構造は、例えば、図１に示すように、体育館Ａのドーム屋根Ｒの一部を採光や換気等のために開閉可能にする場合に利用される。
【００１５】
因に、ドーム屋根Ｒは、傾斜する屋根を形成するために湾曲されているが、該ドーム屋根Ｒの一部、即ち、この発明に係る屋根の開閉構造が具現化される屋根部分ｒは、所謂平坦な屋根を形成するように設定されており、かつ、雨水の滞りない流れ下りを可能にするように、所謂左右方向だけでなく前後方向にも適宜の角度で傾斜されている。
【００１６】
また、上記屋根部分ｒは、図示例にあって、図２にも示すように、人間の目ような平面形状を有するように設定されており、図２中で下辺となる下流側端に雨樋Ｌを有すると共に、該雨樋Ｌに合流する雨樋Ｌ１が図２中で左下りとなる態様に多数本配在されている。
【００１７】
尚、上記屋根部分ｒは、図示例において、上記したように、平坦な屋根に形成されてなるとするが、これに代えて、図２中に示すＸ−Ｘ線位置が稜線とされる低い山形に折り曲げられているとしても良い。
【００１８】
ところで、この発明に係る屋根の開閉構造は、上記した一対の並列する雨樋Ｌ１の間に設けられるもので、言わば、上記屋根部分ｒを帯状に細分化する態様に設定され、固定パネル１に対して可動パネル２が図２中に示す矢印の方向にスライド移動するとき、屋根に所望の開口を形成するように設定されている。
【００１９】
即ち、該屋根の開閉構造は、図３及び図４に示すように、一対の並列する雨樋Ｌ１の間に配在される固定パネル１と、可動パネル２と、駆動機構３と、を有してなり、上記したように、屋根部分ｒを帯状に細分化する態様に設定されることで、固定パネル１，可動パネル２及び駆動機構３の構成をそれぞれにおいて軽微にすることを可能にし、全体として屋根部分ｒの荷重の徒な増大化を阻止し得るように配慮している。
【００２０】
少し説明すると、固定パネル１は、所謂屋根を形成するもので、例えば、図４に示すように、屋根骨組を形成する梁材Ｂ（図４参照）に図示しない適宜の手段で固定的に保持されている。
【００２１】
このとき、該固定パネル１は、所定の自己支持性、即ち、強度を有するように形成されていること勿論であり、また、その上面での雨水の流れ下りを可能にするように、適宜の角度に傾斜されており、さらには、本体部１１（図４参照）の形成材料についても、可視性あるいは不可視性のいずれかの材料が任意に選択される。
【００２２】
可動パネル２は、上記固定パネル１と同様に屋根を形成しながら、該屋根に形成の開口（図示せず）を開閉するもので、図示例にあっては、ガイド溝４（図３参照）に副って移動可能なように、即ち、ガイド溝４内に移動可能に収装される駆動ローラ機構５と従動ローラ機構６とを有してなる（図４参照）。
【００２３】
尚、該可動パネル２にあっても、固定パネル１と同様に、所定の自己支持性、即ち、強度を有するように形成されていること勿論であり、また、その上面での雨水の流れ下りを可能にするように、固定パネル１の傾斜角度と一致する角度に傾斜されており、さらには、本体部２１（図４参照）の形成材料についても、可視性あるいは不可視性のいずれかの材料が任意に選択される。
【００２４】
そして、該可動パネル２にあって、上記本体部２１は、所謂左右で一対とされながらガイド溝４の上方に位置決められる支持フレーム２２に連設されており、図４に示すように、該支持フレーム２２に後述する駆動ローラ機構５と従動ローラ機構６が保持されるとしている。
【００２５】
尚、固定パネル１と可動パネル２の位置関係については、図示例では、固定パネル１が可動パネル２に対して雨水の流れ方向の下流側に配在されると共に、可動パネル２が固定パネル１の上方側でスライド移動するように設定されてなるとしている（図４参照）が、これによって、雨水が可動パネル２の上を流れ下り、かつ、固定パネル１の上を流れ下って、雨樋Ｌ１に流下されることになる。
【００２６】
ところで、ガイド溝４は、可動パネル２の下方から固定パネル１に亙って配在されてなる（図３参照）もので、特に、図４中で左端となる先端が雨樋Ｌ１に開口する、即ち、連通するとして、該ガイド溝４内に浸入されることある雨水が必ず雨樋Ｌ１に誘導されるように配慮されている。
【００２７】
また、該ガイド溝４は、その傾斜角が固定パネル１の傾斜角に一致するように設定されてなるもので、これによって、可動パネル２がスライド移動する際の固定パネル１に対する所謂セリを危惧しなくて済むことになる。
【００２８】
駆動ローラ機構５は、可動パネル２の、即ち、可動パネル２を構成する支持フレーム２２の上方部側となるその基端側の下面に保持されてなるもので、これに対して、従動ローラ機構６は、上記支持フレーム２２の下方部側となるその先端側の下面に保持されている。
【００２９】
ここで、駆動ローラ機構５及び従動ローラ機構６について少し説明すると、先ず、駆動ローラ機構５は、図５に示すように、上記支持フレーム２２に垂設されるブラケット５１と、該ブラケット５１の下端に回動可能に保持される車軸ブラケット５２と、該車軸ブラケット５２に回転可能に保持される四つの走行ローラ５３と、上記車軸ブラケット５２に保持される二つ張り出しローラ５４と、上記車軸ブラケット５２に配在される螺合用ブラケット５５と、を有してなる。
【００３０】
そして、四つの走行ローラ５３は、車軸ブラケット５２に対して前後左右の位置関係に配在されてガイド溝４内を走行するように設定されてなり、該駆動ローラ機構５が安定した状態でガイド溝４内を移動し得るようにしている。
【００３１】
また、車軸ブラケット５２は、これがブラケット５１に回転可能に保持されることで、該車軸ブラケット５２に保持される上記の四つの走行ローラ５３をガイド溝４内の走行面４１に常に接触状態に維持することが可能になる。
【００３２】
さらに、二つ張り出しローラ５４は、これが設けられることで、上記走行ローラ５３がガイド溝４の内側面４２に接触して走行不能な状態になる等を予め阻止し得ることになる。
【００３３】
そしてさらに、螺合用ブラケット５５が設けられていることで、該螺合用ブラケット５５への後述する駆動機構３における螺条ロッド３３の螺合を可能にし得ることになり、該螺合用ブラケット５５に螺合する螺条ロッド３３の回動で駆動ローラ機構５のガイド溝４内での移動を可能にし得ることになる。
【００３４】
尚、図４に示す駆動ローラ機構５ａは、上記駆動ローラ機構５と同一に形成されているが、螺合用ブラケット５５に螺条ロッド３３を螺合させない状態で利用されるもので、可動パネル２の大きさから、螺条ロッド３３を螺合させてまで走行させる必要がない場合に利用される。
【００３５】
次に、従動ローラ機構６は、図６に示すように、上記支持フレーム２２に垂設されるブラケット６１と、該ブラケット６１の下端に回動可能に保持される車軸ブラケット６２と、該車軸ブラケット６２に回転可能に保持される二つの走行ローラ６３と、上記車軸ブラケット６２に保持される二つ張り出しローラ６４と、を有してなる。
【００３６】
二つの走行ローラ６３は、上記駆動ローラ機構５における四つの走行ローラ５３が所謂走行安定性を確保するので、ここでは、車軸ブラケット６２に対して左右の位置関係に配在されてガイド溝４内を走行するように設定されている。
【００３７】
また、車軸ブラケット６２は、上記駆動ローラ機構５における車軸ブラケット５１と同様に回転可能に保持されている。
【００３８】
そして、二つ張り出しローラ６４は、上記駆動ローラ機構５における走行ローラ５３と同様に機能する。
【００３９】
尚、上記車軸ブラケット６２は、上記駆動ローラ機構５における車軸ブラケット５２のように、螺合用ブラケット５５を有する構成とされず、代わりに、空部６２ａを有するとされているが、これは、該空部６２ａに駆動ローラ機構５側から延在される螺条ロッド３３の自由な挿通を許容するためである。
【００４０】
また、上記駆動ローラ機構５及び従動ローラ機構６が収装されるガイド溝４においては、図５及び図６に示すように、走行ローラ５３，６３の所謂浮き上りを阻止するストッパ４３がその内側面４２に連設されるとし、また、該ガイド溝４の上端にはダストや雨水の内部への浸入を阻止するための可撓性に富むカバー部材４４が配在されている。
【００４１】
一方、駆動機構３は、可動パネル２を固定パネル１との間でスライド移動させるもので、図３及び図４に示すように、電動モータ３１と、該電動モータ３１で駆動されるギヤボックス３２と、該ギヤボックス３２に連繋する螺条ロッド３３と、を有してなる。
【００４２】
電動モータ３１は、可動パネル２の大きさによって、単数から複数に代えられるもので、図示例にあっては、これが雨樋Ｌ１と開口との間に形成される笠木部Ｐ（図４参照）内に配在されるとしている。
【００４３】
また、ギヤボックス３２は、電動モータ３１の作動を螺条ロッド３３に伝達するもので、一部が電動モータ３１に直結状態で設けられ、一部が連結ロッド３４を介して設けられるとし、電動モータ３１と同様に、上記笠木部Ｐ内に配在されるとしている。
【００４４】
尚、可動パネル２の大きさによっては、電動モータ３１に直結されないギヤボックス３２の配設が省略されても良いこと勿論である。
【００４５】
また、連結ロッド３４は、電動モータ３１及びギヤボックス３２と同様に、上記笠木部Ｐ内に配在されること勿論であるが、その長さによって、複数箇所で軸受（図示せず）に保持されるとしている。
【００４６】
従って、該駆動機構３にあっては、電動モータ３１及びギヤボックス３２が、また、図示例にあっては、併せて連結ロッド３４が雨樋Ｌ１と開口との間に形成される笠木部Ｐ内に配在されると共に、螺条ロッド３３が可動パネル２の移動方向に延在されるガイド溝４内に臨在されてなるとするから、それぞれが各自のためのみの収容スペースに収容されるのではなく、本来の用途がある部位に配在されることになるので、所謂省スペースを実現できる。
【００４７】
また、該駆動機構３にあっては、電動モータ３１の駆動による螺条ロッド３３の回転で可動パネル２をスライド移動させるようにするから、ワイヤロープやチェーン等の索道部材を利用して可動パネル２を移動させる場合に比較して、温度変化等による伸縮誤差が生じたり、あるいは、索道部材が、例えば、スプロケットから所謂脱輪するような不具合が招来されなくなり、メンテナンスを不要にしながら確実な可動パネル２のスライド移動を実現できる。
【００４８】
以上のように形成されたこの発明の屋根の開閉構造にあっては、駆動機構３における電動モータ３１が、例えば、地下室等における制御で駆動されることで、可動パネル２のスライド移動を実現し得ることになる。
【００４９】
このとき、制御する駆動機構３を適宜に選択することで、可動パネル２を選択してスライド移動させることが可能になり、屋根における全体的な開口量の調整が可能になるのは勿論のこと、可動パネル２が所謂細分化されて配設された態様とされているから、そのスライド移動を短時間で実践することが可能になる。
【００５０】
また、地下室から屋根に至る間には、電源と駆動機構３における電動モータ３１とを接続する配線が設けられることになるが、多くの場合に、建物の構築にあっては、その他の電気設備のために、予め必要な配線のための配管作業等が行われるので、該配管作業時に必要な作業が併せて実践されれば足り、格別に別途の作業を行わなくても済むことになり、建物の構築作業を著しく停滞させたり、また、建物の構築コストを著しく高騰化させたりしない。
【００５１】
前記したところは、この発明に係る屋根の開閉構造を具現化するにあたって、必須とされるところを説明したものであるが、該屋根の開閉構造を利用する場合には、以下のような配慮がなされることが好ましい。
【００５２】
即ち、可動パネル２と笠木部Ｐとの間における雨仕舞いに関してであるが、可動パネル２の基端には笠木部Ｐの上方に延在されるカバーＣを設け、該カバーＣの自由端に笠木部Ｐの頂部に接触するゴム等の弾性に富む材料からなるシールｃを設けるとする。
【００５３】
このカバーＣ及び該カバーＣへのシールｃの配設によって、可動パネル２が所謂閉塞状態にあるときに、該可動パネル２と笠木部Ｐとの間に生じるであろう隙間を介しての雨水の浸入を予め阻止できることになる。
【００５４】
次に、可動パネル２の所謂暴走に伴う事故を防止することに関してであるが、可動パネル２と固定パネル１及び笠木部Ｐとの間にそれぞれストッパＳを設けるとする。
【００５５】
該ストッパＳは、例えば、空気を内包したゴムチューブ、あるいは、発砲ゴムスポンジ等からなるとするのが良く、これが可動パネル２と固定パネル１及び笠木部Ｐにそれぞれ配設されるとする。
【００５６】
そして、その場合には、可動パネル２の暴走が阻止されるのは勿論のこと、衝突時のショックを吸収する上で優れると共に、その際の消音効果にも優れる点で有利となる。
【００５７】
また、可動パネル２の暴走阻止には、図示しないが、固定パネル１との間、あるいは、笠木部Ｐとの間に配在されるリミットスイッチが利用されて駆動機構３における駆動が電気的に停止されるように設定されるとしても良い。
【００５８】
【発明の効果】
以上のように、この発明にあっては、屋根の開閉構造を構成する固定パネル，可動パネル及び駆動機構が一定の大きさの屋根部分を帯状に細分化する態様に配在される一対の並列する雨樋の間に配在されてなるとするので、固定パネル，可動パネル及び駆動機構の各構成をそれぞれ軽微に構成することが可能になり、該屋根の開閉構造を利用するにあたり、全体として屋根部分の荷重の徒な増大化を阻止し得ることになる。
【００５９】
そして、この発明にあっては、固定パネル，可動パネル及び駆動機構の各構成をそれぞれ軽微に構成することが可能になるから、特に、可動パネルのスライド移動に多大な時間を要することがなく、開口の速やかな開閉を可能にし得ることになる。
【００６０】
また、この発明にあっては、可動パネルの駆動に流体圧シリンダあるいはワイヤロープやチェーン等の索道部材を利用しないから、例えば、流体の漏れ被害や索道部材の温度変化等による伸縮誤差に対する対策、あるいは、該索道部材の、例えば、スプロケットとの繋合解除に対する対策等の配慮が必須になる等の不具合が招来されず、所謂メンテナンスを容易にし得ることになる。
【図面の簡単な説明】
【図１】この発明の屋根の開閉構造を具現化した建物を示す立面図である。
【図２】この発明の屋根の開閉構造による屋根部分を示す平面図である。
【図３】この発明の屋根の開閉構造を一部破断して全体的に示す平面図である。
【図４】この発明の屋根の開閉構造を示す縦断面図である。
【図５】駆動ローラ機構が収装された状態のガイド溝を示す縦断面図である。
【図６】従動ローラ機構が収装された状態のガイド溝を示す縦断面図である。
【符号の説明】
１  固定パネル
２  可動パネル
３  駆動機構
４  ガイド溝
５  駆動ローラ機構
６  従動ローラ機構
３１  電動モータ
３２  螺条ロッド
３３  ギヤボックス
Ｌ１  雨樋
Ｐ  笠木部
【図１】
0003684406.tif 000002
【図２】
0003684406.tif 000003
【図３】
0003684406.tif 000004
【図４】
0003684406.tif 000005
【図５】
0003684406.tif 000006
【図６】
0003684406.tif 000007